(57)【特許請求の範囲】
【請求項１】
床スラブ上に立設される束材にて支持される梁材に、上面が該梁材の上面とほぼ同一面上に位置するように床板を設置してなるフリーアクセスフロアにおいて、
上記フリーアクセスフロアと壁又は柱のボーダー部を、固定部材によって上記梁材に固定されるクリアランスカバーによって構成し、この際、上記クリアランスカバーは、長手方向に沿う中央部が硬質の固定部を有し、両端縁が軟質のフィン部を有する合成樹脂製部材にて形成され、かつ、一方のフィン部が上記壁又は柱に接触してなる、ことを特徴とするフリーアクセスフロアのボーダー部構造。
【請求項２】
床スラブ上に立設される束材にて支持される梁材に、上面が該梁材の上面とほぼ同一面上に位置するように床板を設置してなるフリーアクセスフロアにおいて、
上記フリーアクセスフロアと壁又は柱のボーダー部を、上記梁材のボーダー部側に突設されるボーダーブラケットと、固定部材によって上記ボーダーブラケットに固定されるクリアランスカバーとで構成し、この際、上記クリアランスカバーは、長手方向に沿う中央部が硬質の固定部を有し、両端縁が軟質のフィン部を有する合成樹脂製部材にて形成され、かつ、一方のフィン部が上記壁又は柱に接触してなる、ことを特徴とするフリーアクセスフロアのボーダー部構造。
【請求項３】
請求項２記載のフリーアクセスフロアのボーダー部構造において、
上記梁材のボーダー部側に狭隘開口状の嵌合横溝を設け、
上記ボーダーブラケットは、クリアランスカバーを固定する水平固定片の一端側に、上記嵌合横溝の両開口縁に係合する上部及び下部係合爪を設けると共に、上部係合爪と水平固定片との間に上端が開口する凹溝を設け、上記嵌合横溝にボーダーブラケットの上部係合爪を係合させた状態で、凹溝内に弾性を有する外れ防止用クリップを嵌合して、上記梁材にボーダーブラケットを固定してなる、ことを特徴とするフリーアクセスフロアのボーダー部構造。
【請求項４】
床スラブ上に立設される束材にて支持される梁材に、上面が該梁材の上面とほぼ同一面上に位置するように床板を設置してなるフリーアクセスフロアにおいて、
上記フリーアクセスフロアと壁又は柱のボーダー部を、上記梁材のボーダー部側に突設されるサポートブラケットと、このサポートブラケットに一端部が載置され、他端部が床スラブに立設される補助束材にて支持されるボーダーパネルと、固定部材によって上記ボーダーパネルに固定されるクリアランスカバーとで構成し、この際、上記クリアランスカバーは、長手方向に沿う中央部が硬質の固定部を有し、両端縁が軟質のフィン部を有する合成樹脂製部材にて形成され、かつ、一方のフィン部が上記壁又は柱に接触してなる、ことを特徴とするフリーアクセスフロアのボーダー部構造。
【請求項５】
請求項４記載のフリーアクセスフロアのボーダー部構造において、
上記梁材のボーダー部側に狭隘開口状の嵌合横溝を設け、
上記サポートブラケットは、ボーダーパネルを載置する水平載置片の一端側に、上記嵌合横溝の両開口縁に係合する上部及び下部係合爪を設けると共に、上部係合爪と水平載置片との間に上端が開口する凹溝を設け、上記嵌合横溝にサポートブラケットの上部係合爪を係合させた状態で、凹溝内に弾性を有する外れ防止用クリップを嵌合して、上記梁材にサポートブラケットを固定してなる、ことを特徴とするフリーアクセスフロアのボーダー部構造。
【請求項６】
床スラブ上に立設される束材にて支持される梁材に、上面が該梁材の上面とほぼ同一面上に位置するように床板を設置してなるフリーアクセスフロアにおいて、
上記梁材のボーダー部側に、ボーダーブラケット又はサポートブラケットを突設可能に形成すると共に、梁材に突設されるサポートブラケットに一端部が載置されるボーダーパネルの他端部を床スラブ上に立設される補助束材にて支持可能に形成し、
長手方向に沿う中央部が硬質の固定部を有し、両端縁が軟質のフィン部を有する合成樹脂製部材にて形成されるクリアランスカバーを、上記梁材又は上記ボーダーブラケットあるいは上記ボーダーパネルのいずれかに固定部材によって固定し、このクリアランスカバーの一方のフィン部を壁又は柱に接触してボーダー部を構成する、ことを特徴とするフリーアクセスフロアのボーダー部構造。
【請求項７】
請求項６記載のフリーアクセスフロアのボーダー部構造において、
上記梁材のボーダー部側に狭隘開口状の嵌合横溝を設け、
上記ボーダーブラケットは、クリアランスカバーを固定する水平固定片の一端側に、上記嵌合横溝の両開口縁に係合する上部及び下部係合爪を設けると共に、上部係合爪と水平固定片との間に上端が開口する凹溝を設け、上記嵌合横溝にボーダーブラケットの上部係合爪を係合させた状態で、凹溝内に弾性を有する外れ防止用クリップを嵌合して、上記梁材にボーダーブラケットを固定し、
上記サポートブラケットは、ボーダーパネルを載置する水平載置片の一端側に、上記嵌合横溝の両開口縁に係合する上部及び下部係合爪を設けると共に、上部係合爪と水平載置片との間に上端が開口する凹溝を設け、上記嵌合横溝にサポートブラケットの上部係合爪を係合させた状態で、凹溝内に弾性を有する外れ防止用クリップを嵌合して、上記梁材にサポートブラケットを固定してなる、ことを特徴とするフリーアクセスフロアのボーダー部構造。
【請求項８】
請求項１ないし７のいずれかに記載のフリーアクセスフロアのボーダー部構造において、
上記壁又は柱の隅角部に隣接配置される一方のクリアランスカバーの先端面を、他方のクリアランスカバーの先端側面に当接すると共に、一方のクリアランスカバーの先端部上面に、他方のクリアランスカバーのフィン部を被覆してなる、ことを特徴とするフリーアクセスフロアのボーダー部構造。
【請求項９】
請求項４又は６記載のフリーアクセスフロアのボーダー部構造において、
上記ボーダーパネル同士の接合部に、合成樹脂製の緩衝用クリップを介在してなり、上記緩衝用クリップを、中間部に切断促進用のくびれ部を有する板状基部と、この板状基部の両側面に傾斜状に突設されるひれ部と、板状基部の両端部から左右両側に延在してボーダーパネルの表面縁部を覆う覆い片とで構成してなり、上記くびれ部によって分割される半体を外れ防止用クリップに使用する、ことを特徴とするフリーアクセスフロアのボーダー部構造。
【発明の詳細な説明】
【技術分野】
【０００１】
この発明は、フリーアクセスフロアのボーダー部構造に関するもので、更に詳細には、例えば電算機や通信機器等を収容する室内に構築されるフリーアクセスフロアのボーダー部構造に関するものである。
【背景技術】
【０００２】
一般に、この種のフリーアクセスフロアを構築する場合、床スラブに立設された束材にて支持される梁材に定形状に形成されたフロア用床板を設置するが、建物の壁や柱等の側面においては、定形寸法の床板と不定形のボーダー部が必要である。
【０００３】
従来のボーダー部においては、フリーアクセスフロアと接続するボーダー部におけるボーダー部材の端面と壁又は柱等の側面との間の隙間部に弾性体を挟着するか、あるいは、更に壁又は柱等の側面とボーダー部材との隙間部を、壁又は柱等の側面に固定されたＬ字型幅木にて覆う構造が知られている（例えば、特許文献１参照）。
【特許文献１】実開平３−４６６４３号公報（実用新案登録請求の範囲、第１図、第２図）
【発明の開示】
【発明が解決しようとする課題】
【０００４】
しかしながら、実開平３−４６６４３号公報に記載の構造は、フリーアクセスフロアと壁又は柱等の側面との寸法に応じてボーダー部材を工場等で切断加工して形成し、また、ボーダー部材の端部と壁又は柱等の側面との隙間に弾性体を挟着する構造であるため、施工が面倒な上、ボーダー部材の端部と壁又は柱等の側面との隙間を十分に覆うことができないという問題があった。
【０００５】
この発明は、上記事情に鑑みてなされたもので、施工を容易にすると共に、ボーダー部と壁又は柱等の側面との隙間を確実に覆うことができるフリーアクセスフロアのボーダー部構造を提供することを課題とするものである。
【課題を解決するための手段】
【０００６】
上記課題を解決するために、請求項１記載の発明は、床スラブ上に立設される束材にて支持される梁材に、上面が該梁材の上面とほぼ同一面上に位置するように床板を設置してなるフリーアクセスフロアにおいて、  上記フリーアクセスフロアと壁又は柱のボーダー部を、固定部材によって上記梁材に固定されるクリアランスカバーによって構成し、この際、上記クリアランスカバーは、長手方向に沿う中央部が硬質の固定部を有し、両端縁が軟質のフィン部を有する合成樹脂製部材にて形成され、かつ、一方のフィン部が上記壁又は柱に接触してなる、ことを特徴とする。
【０００７】
このように構成することにより、フリーアクセスフロアを構成する床板の上面とほぼ同一の上面を有する梁材に、長手方向に沿う中央部が硬質の固定部を有し、両端縁が軟質のフィン部を有する合成樹脂製部材にて形成されるクリアランスカバーを固定することで、ボーダー部と壁又は柱等の側面との隙間を覆うことができる。
【０００８】
また、請求項２記載の発明は、床スラブ上に立設される束材にて支持される梁材に、上面が該梁材の上面とほぼ同一面上に位置するように、床板を設置してなるフリーアクセスフロアにおいて、  上記フリーアクセスフロアと壁又は柱のボーダー部を、上記梁材のボーダー部側に突設されるボーダーブラケットと、固定部材によって上記ボーダーブラケットに固定されるクリアランスカバーとで構成し、この際、上記クリアランスカバーは、長手方向に沿う中央部が硬質の固定部を有し、両端縁が軟質のフィン部を有する合成樹脂製部材にて形成され、かつ、一方のフィン部が上記壁又は柱に接触してなる、ことを特徴とする。
【０００９】
このように構成することにより、フリーアクセスフロアを構成する床板の上面とほぼ同一の上面を有する梁材に突設されるボーダーブラケットに、長手方向に沿う中央部が硬質の固定部を有し、両端縁が軟質のフィン部を有する合成樹脂製部材にて形成されるクリアランスカバーを固定することで、ボーダー部と壁又は柱等の側面との隙間を覆うことができる。
【００１０】
また、請求項３記載の発明は、請求項２記載のフリーアクセスフロアのボーダー部構造において、上記梁材のボーダー部側に狭隘開口状の嵌合横溝を設け、上記ボーダーブラケットは、クリアランスカバーを固定する水平固定片の一端側に、上記嵌合横溝の両開口縁に係合する上部及び下部係合爪を設けると共に、上部係合爪と水平固定片との間に上端が開口する凹溝を設け、上記嵌合横溝にボーダーブラケットの上部係合爪を係合させた状態で、凹溝内に弾性を有する外れ防止用クリップを嵌合して、上記梁材にボーダーブラケットを固定してなる、ことを特徴とする。
【００１１】
このように構成することにより、梁材に設けられた嵌合横溝にボーダーブラケットの上部係合爪を係合させた状態で、凹溝内に弾性を有する外れ防止用クリップを嵌合することにより、梁材にボーダーブラケットを簡単かつ確実に固定することができる。
【００１２】
また、請求項４記載の発明は、床スラブ上に立設される束材にて支持される梁材に、上面が該梁材の上面とほぼ同一面上に位置するように、床板を設置してなるフリーアクセスフロアにおいて、  上記フリーアクセスフロアと壁又は柱のボーダー部を、上記梁材のボーダー部側に突設されるサポートブラケットと、このサポートブラケットに一端部が載置され、他端部が床スラブに立設される補助束材にて支持されるボーダーパネルと、固定部材によって上記ボーダーパネルに固定されるクリアランスカバーとで構成し、この際、上記クリアランスカバーは、長手方向に沿う中央部が硬質の固定部を有し、両端縁が軟質のフィン部を有する合成樹脂製部材にて形成され、かつ、一方のフィン部が上記壁又は柱に接触してなる、ことを特徴とする。
【００１３】
このように構成することにより、フリーアクセスフロアを構成する床板の上面とほぼ同一の上面を有する梁材に突設されるサポートブラケットと、床スラブ上に立設される補助束材にて支持されるボーダーパネルに、長手方向に沿う中央部が硬質の固定部を有し、両端縁が軟質のフィン部を有する合成樹脂製部材にて形成されるクリアランスカバーを固定することで、ボーダー部と壁又は柱等の側面との隙間を覆うことができる。
【００１４】
また、請求項５記載の発明は、請求項４記載のフリーアクセスフロアのボーダー部構造において、上記梁材のボーダー部側に狭隘開口状の嵌合横溝を設け、上記サポートブラケットは、ボーダーパネルを載置する水平載置片の一端側に、上記嵌合横溝の両開口縁に係合する上部及び下部係合爪を設けると共に、上部係合爪と水平載置片との間に上端が開口する凹溝を設け、上記嵌合横溝にサポートブラケットの上部係合爪を係合させた状態で、凹溝内に弾性を有する外れ防止用クリップを嵌合して、上記梁材にサポートブラケットを固定してなる、ことを特徴とする。
【００１５】
このように構成することにより、梁材に設けられた嵌合横溝にサポートブラケットの上部係合爪を係合させた状態で、凹溝内に弾性を有する外れ防止用クリップを嵌合することにより、梁材にサポートブラケットを簡単かつ確実に固定することができると共に、ボーダーパネルを確実に支持することができる。
【００１６】
また、請求項６記載の発明は、床スラブ上に立設される束材にて支持される梁材に、上面が該梁材の上面とほぼ同一面上に位置するように、床板を設置してなるフリーアクセスフロアにおいて、  上記梁材のボーダー部側に、ボーダーブラケット又はサポートブラケットを突設可能に形成すると共に、梁材に突設されるサポートブラケットに一端部が載置されるボーダーパネルの他端部を床スラブ上に立設される補助束材にて支持可能に形成し、  長手方向に沿う中央部が硬質の固定部を有し、両端縁が軟質のフィン部を有する合成樹脂製部材にて形成されるクリアランスカバーを、上記梁材又は上記ボーダーブラケットあるいは上記ボーダーパネルのいずれかに固定部材によって固定し、このクリアランスカバーの一方のフィン部を壁又は柱に接触してボーダー部を構成する、ことを特徴とする。
【００１７】
このように構成することにより、フリーアクセスフロアを構成する床板の上面とほぼ同一の上面を有する梁材、又は梁材に突設されるボーダーブラケット、あるいは梁材に突設されるサポートブラケットと床スラブ上に立設される補助束材にて支持されるボーダーパネルに、長手方向に沿う中央部が硬質の固定部を有し、両端縁が軟質のフィン部を有する合成樹脂製部材にて形成されるクリアランスカバーを固定することで、ボーダー部と壁又は柱等の側面との隙間の広狭に対応して、ボーダー部と壁又は柱等の側面との隙間を覆うことができる。
【００１８】
また、請求項７記載の発明は、請求項６記載のフリーアクセスフロアのボーダー部構造において、  上記梁材のボーダー部側に狭隘開口状の嵌合横溝を設け、  上記ボーダーブラケットは、クリアランスカバーを固定する水平固定片の一端側に、上記嵌合横溝の両開口縁に係合する上部及び下部係合爪を設けると共に、上部係合爪と水平固定片との間に上端が開口する凹溝を設け、上記嵌合横溝にボーダーブラケットの上部係合爪を係合させた状態で、凹溝内に弾性を有する外れ防止用クリップを嵌合して、上記梁材にボーダーブラケットを固定し、  上記サポートブラケットは、ボーダーパネルを載置する水平載置片の一端側に、上記嵌合横溝の両開口縁に係合する上部及び下部係合爪を設けると共に、上部係合爪と水平載置片との間に上端が開口する凹溝を設け、上記嵌合横溝にサポートブラケットの上部係合爪を係合させた状態で、凹溝内に弾性を有する外れ防止用クリップを嵌合して、上記梁材にサポートブラケットを固定してなる、ことを特徴とする。
【００１９】
このように構成することにより、梁材に設けられた嵌合横溝に、ボーダーブラケットあるいはサポートブラケットの上部係合爪を係合させた状態で、凹溝内に弾性を有する外れ防止用クリップを嵌合することにより、梁材にボーダーブラケットあるいはサポートブラケットを簡単かつ確実に固定することができる。
【００２０】
また、請求項８記載の発明は、請求項１ないし７のいずれかに記載のフリーアクセスフロアのボーダー部構造において、上記壁又は柱の隅角部に隣接配置される一方のクリアランスカバーの先端面を、他方のクリアランスカバーの先端側面に当接すると共に、一方のクリアランスカバーの先端部上面に、他方のクリアランスカバーのフィン部を被覆してなる、ことを特徴とする。
【００２１】
このように構成することにより、壁又は柱の隅角部に隣接配置されるクリアランスカバー同士の接合部において、一方のクリアランスカバーのフィン部によって他方のクリアランスカバーの先端部を覆った状態で当接することができる。
【００２２】
また、請求項９記載の発明は、請求項４又は６記載のフリーアクセスフロアのボーダー部構造において、上記ボーダーパネル同士の接合部に、合成樹脂製の緩衝用クリップを介在してなり、上記緩衝用クリップを、中間部に切断促進用のくびれ部を有する板状基部と、この板状基部の両側面に傾斜状に突設されるひれ部と、板状基部の両端部から左右両側に延在してボーダーパネルの表面縁部を覆う覆い片とで構成してなり、上記くびれ部によって分割される半体を外れ防止用クリップに使用する、ことを特徴とする。
【００２３】
このように構成することにより、ボーダーパネル同士の接合部に、合成樹脂製の緩衝用クリップを介在することにより、ボーダーパネルの切断小口を隠した状態でボーダーパネル同士の接合することができる。また、緩衝用クリップを、中間部に切断促進用のくびれ部を有する板状基部と、この板状基部の両側面に傾斜状に突設されるひれ部と、板状基部の両端部から左右両側に延在してボーダーパネルの表面縁部を覆う覆い片とで構成することにより、ボーダーパネルの接合態様に関係なく少なくとも一方の覆い片がボーダーパネルの接合端部の表面縁部を覆った状態で接合することができる。また、切断促進用のくびれ部によって２つに分割して外れ防止用クリップに使用することができる。
【発明の効果】
【００２４】
この発明によれば、上記のように構成されているので、以下のような効果が得られる。
【００２５】
（１）請求項１記載の発明によれば、フリーアクセスフロアを構成する床板の上面とほぼ同一の上面を有する梁材に、クリアランスカバーを固定することで、ボーダー部を構成することができるので、ボーダー部材の切断加工を必要とせず、構成部材の削減が図れ、かつ、施工を容易にすると共に、ボーダー部と壁又は柱等の側面との隙間を確実に覆うことができる。
【００２６】
（２）請求項２記載の発明によれば、フリーアクセスフロアを構成する床板の上面とほぼ同一の上面を有する梁材に突設されるボーダーブラケットに、クリアランスカバーを固定することで、ボーダー部を構成することができるので、梁材に取付スペースがない場合においても、ボーダー部材の切断加工を必要とせず、施工を容易にすると共に、ボーダー部と壁又は柱等の側面との隙間を確実に覆うことができる。
【００２７】
（３）請求項３記載の発明によれば、梁材にボーダーブラケットを簡単かつ確実に固定することができるので、上記（２）に加えて、更に施工を容易にすることができると共に、ボーダー部と壁又は柱等の側面との隙間を確実に覆うことができる。
【００２８】
（４）請求項４記載の発明によれば、フリーアクセスフロアを構成する床板の上面とほぼ同一の上面を有する梁材に突設されるサポートブラケットと、床スラブ上に立設される補助束材にて支持されるボーダーパネルに、クリアランスカバーを固定することで、ボーダー部を構成することができるので、フリーアクセスフロアと壁又は柱の隙間が広い場合においても、ボーダー部材の切断加工を必要とせず、施工を容易にすると共に、ボーダー部と壁又は柱等の側面との隙間を確実に覆うことができる。
【００２９】
（５）請求項５記載の発明によれば、梁材にサポートブラケットを簡単かつ確実に固定することができると共に、ボーダーパネルを確実に支持することができるので、上記（４）に加えて、更に施工を容易にすることができると共に、ボーダー部と壁又は柱等の側面との隙間を確実に覆うことができる。
【００３０】
（６）請求項６記載の発明によれば、フリーアクセスフロアを構成する床板の上面とほぼ同一の上面を有する梁材、又は梁材に突設されるボーダーブラケット、あるいは梁材に突設されるサポートブラケットと床スラブ上に立設される補助束材にて支持されるボーダーパネルに、クリアランスカバーを固定することで、ボーダー部を構成することができるので、フリーアクセスフロアと壁又は柱の隙間の広狭に対応してボーダー部と壁又は柱等の側面との隙間を確実に覆うことができる。また、ボーダー部材の切断加工を必要とせず、施工を容易にすることができる。
【００３１】
（７）請求項７記載の発明によれば、梁材にボーダーブラケットあるいはサポートブラケットを簡単かつ確実に固定することができるので、上記（６）に加えて、更に施工を容易にすることができると共に、ボーダー部と壁又は柱等の側面との隙間を確実に覆うことができる。
【００３２】
（８）請求項８記載の発明によれば、壁又は柱の隅角部に隣接配置されるクリアランスカバー同士の接合部において、一方のクリアランスカバーのフィン部によって他方のクリアランスカバーの先端部を覆った状態で当接することができるので、上記（１）〜（７）に加えて、更にボーダー部のクリアランスカバーの収まりを良好にすることができる。
【００３３】
（９）請求項９記載の発明によれば、緩衝用クリップによってボーダーパネルの切断小口を隠した状態でボーダーパネル同士の接合することができるので、上記（４），（６）に加えて、更に多少の寸法誤差が生じてもボーダーパネル同士を接合することができると共に、ボーダー部の美観の向上が図れる。また、ボーダーパネルの接合態様に関係なく少なくとも一方の覆い片がボーダーパネルの接合端部の表面縁部を覆った状態で接合することができ、また、切断促進用のくびれ部によって２つに分割して外れ防止用クリップに使用することができるので、上記（４），（６）に加えて、更に緩衝用クリップを有効に利用することができると共に、構成部材の削減を図ることができる。
【発明を実施するための最良の形態】
【００３４】
以下に、この発明の最良の実施形態を添付図面に基づいて詳細に説明する。
【００３５】
図１は、この発明に係るフリーアクセスフロアのボーダー部構造の第１実施形態を示す概略斜視図、図２は、第１実施形態の要部平面図、図３は、第１実施形態の断面図である。
【００３６】
この発明に係るフリーアクセスフロア１は、図３に示すように、床スラブ２上にアンカーボルト３によって立設される束材４と、この束材４の上部に固定ボルト５によって固定される梁材１０と、この梁材１０に設置される床板例えばアルミニウム合金製押出形材にて形成される床パネル１２とで構成されている。このフリーアクセスフロア１と壁又は柱６（図では、柱６の場合を示す）との隙間すなわちボーダー部７は、固定部材例えば固定ねじ２３によって梁材１０の上面に固定されるクリアランスカバー２０によって構成されている。
【００３７】
この場合、上記梁材１０は、アルミニウム合金製の略中空矩形状押出形材にて形成されており、この梁材１０の上面１０ａと床パネル１２の上面１２ａとは同一面上に位置している。また、梁材１０のボーダー部側面には、狭隘開口状の嵌合横溝１１が設けられている。この嵌合横溝１１には、後述するボーダーブラケット３０あるいはサポートブラケット４０が必要に応じて嵌合されるようになっている。
【００３８】
上記クリアランスカバー２０は、図５に示すように、長手方向に沿う中央部が硬質の固定部２１を有し、両端縁が軟質のシール用のフィン部２２を有する合成樹脂製部材例えばポリ塩化ビニール（ＰＶＣ）製部材にて形成されている。なお、固定部２１の上面には適宜間隔をおいて固定ねじ２３のねじ込みを容易にするための断面略Ｖ字状の凹条２４が設けられている。このように形成されるクリアランスカバー２０を、図３に示すように、梁材１０の上面１０ａにおけるボーダー部側に固定ねじ２３によって固定するか、あるいは、図５に示すように、梁材１０の上面１０ａにおける中央部側に固定ねじ２３によって固定することによって、一方のフィン部２２が柱６の側面６ａに接触されて、ボーダー部７が覆われる。
【００３９】
上記ボーダー部７は、フリーアクセスフロア１を構成する梁材１０の上面１０ａに固定ねじ２３によってクリアランスカバー２０を固定するのみによって構成することができるので、ボーダー部材を切断加工する必要がなく、最小限の構成部材によって容易に施工することができる。
【００４０】
上記第１実施形態では、梁材１０に固定されるクリアランスカバー２０によってボーダー部７を構成する場合について説明したが、ボーダー部７の寸法が広くなり、クリアランスカバー２０を梁材１０に固定できない場合には、図６及び図７に示すように、梁材１０のボーダー部側に突設されるボーダーブラケット３０にクリアランスカバー２０を固定してボーダー部７を構成することができる。
【００４１】
この場合、ボーダーブラケット３０は、アルミニウム合金製の押出形材にて形成されており、クリアランスカバー２０を固定する水平固定片３１の一端側に、上記嵌合横溝１１の両開口縁１１ａ，１１ｂに係合する上部係合爪３２及び下部係合爪３３を設けると共に、上部係合爪３３と水平固定片３１との間に上端が開口する凹溝３４が設けられている。なお、凹溝３４の内側面には凹溝３４の底部側に向かって漸次隆起する係止突起３５が突設されている（図８（ｄ）参照）。
【００４２】
このように形成されるボーダーブラケット３０を梁材１０に取り付けるには、図８に示すように、まず、上部係合爪３２を嵌合横溝１１の上部開口縁１１ａに係合させる（図８（ａ）参照）。この状態で、水平固定片３１の先端側を反時計方向に回転して、下部係合爪３３を嵌合横溝１１の下部開口縁１１ｂに係合させる（図８（ｂ）参照）。次に、この状態で、凹溝３４内に弾性を有する外れ防止用クリップ５０を嵌合し、ひれ部５２を係止突起３５に係合させて、梁材１０にボーダーブラケット３０を固定する（図８（ｃ）参照）。この状態で、ボーダーブラケット３０の水平固定片３１の上面と梁材１０の上面１０ａとが同一面上に位置する。
【００４３】
この場合、外れ防止用クリップ５０は、図９に示すように、例えば硬質のポリ塩化ビニール（ＰＶＣ）製部材にて形成されており、少なくとも上記凹溝３４内に挿入される板状基部５１と、この板状基部５１の両側面にそれぞれ矢羽根状に突設される複数（例えば左右４個）のひれ部５２とを具備しており、凹溝３４内に嵌合された際にひれ部５２が係止突起３５に係合する（図８（ｄ）参照）。なお、図６に示すように、外れ防止用クリップ５０の上方にクリアランスカバー２０が位置しない場合には、板状基部５１の端部から左右両側に延在して凹溝３４の開口部を覆う覆い片５３を具備する形状（図９（ａ）参照）のものを使用し、図７に示すように、外れ防止用クリップ５０の上方にクリアランスカバー２０が位置する場合には、覆い片５３をカットした形状（図９（ｂ）参照）を使用する。
【００４４】
上記のように構成される外れ防止用クリップ５０は、後述するボーダーパネル７０同士を接合する際に使用される緩衝用クリップ６０の一部を利用したものによって形成される。すなわち、緩衝用クリップ６０は、例えば硬質のポリ塩化ビニール（ＰＶＣ）製部材にて形成されており、図１０（ａ）に示すように、中間部に切断促進用のくびれ部６４を有する板状基部６１と、この板状基部６１の両側面に傾斜状（矢羽根状）に突設されるひれ部６２と、板状基部６１の両端部から左右両側に延在してボーダーパネル７０の表面縁部を覆う覆い片６３とで構成されている。このように構成される緩衝用クリップ６０を、図１０（ｂ）に示すように、くびれ部６４を支点として覆い片６３側を左右に繰り返し折り曲げることによって２つに分割して、分割された半体を外れ防止用クリップ５０とすることができる。
【００４５】
第２実施形態のボーダー部は、フリーアクセスフロア１を構成する梁材１０に設けられた嵌合横溝１１にボーダーブラケット３０を嵌合し、外れ防止用クリップ５０によって固定した後、梁材１０の上面１０ａと同一面上に位置する水平固定片３１のボーダー部側あるいは基端部側の上面に固定ねじ２３によってクリアランスカバー２０を固定することによって構成することができる（図６及び図７参照）。したがって、ボーダー部材を切断加工する必要がなく、容易に施工することができる。
【００４６】
なお、第２実施形態において、その他の部分は第１実施形態と同じであるので、同一部分には同一符号を付して、説明は省略する。
【００４７】
図１１は、この発明に係るフリーアクセスフロアのボーダー部構造の第３実施形態を示す概略斜視図、図１２は、第３実施形態の断面図である。
【００４８】
第３実施形態は、フリーアクセスフロア１と柱６のボーダー部７の寸法が広い場合に対応可能にした場合である。すなわち、図１２に示すように、ボーダー部７を、梁材１０のボーダー部側に突設されるサポートブラケット４０と、このサポートブラケット４０に一端部が載置され、他端部が床スラブ２に立設される補助束材８にて支持されるボーダーパネル７０と、固定ねじ２３によってボーダーパネル７０の上面７０ａに固定されるクリアランスカバー２０とで構成した場合である。
【００４９】
この場合、サポートブラケット４０は、アルミニウム合金製の押出形材にて形成されており、ボーダーパネル７０を載置する水平載置片４１の一端側に、梁材１０に設けられた嵌合横溝１１の両開口縁１１ａ，１１ｂに係合する上部係合爪４２及び下部係合爪４３が設けられると共に、上部係合爪４２と水平載置片４１との間に上端が開口する凹溝４４が設けられている。なお、凹溝４４の内側面には凹溝４４の底部側に向かって漸次膨隆する係止突起４５が突設されている。
【００５０】
上記ボーダーパネル７０は、アルミニウム合金製の押出形材にて形成されており、複数の仕切壁７１によって区画される複数の矩形空間７２を有する中空矩形状本体７３と、この中空矩形状本体７３の裏面（下面）側における仕切壁７１の下方に突出し、下部側に補強リブ７４を有し、下端に水平リブ７５を有する複数の支持脚片７６とを具備している。
【００５１】
上記のように形成されるサポートブラケット４０とボーダーパネル７０を梁材１０に取り付けるには、図１３に示すように、まず、上部係合爪４２を嵌合横溝１１の上部開口縁１１ａに係合させる（図１３（ａ）参照）。この状態で、水平載置片４１の先端側を反時計方向に回転して、下部係合爪４３を嵌合横溝１１の下部開口縁１１ｂに係合させる。そして、水平載置片４１にボーダーパネル７０の一端部を載置する（図１３（ｂ）参照）。この状態で、凹溝４４内に外れ防止用クリップ５０を嵌合し、ひれ部５２を係止突起４５に係合させて、梁材１０にサポートブラケット４０を固定すると共に、サポートブラケット４０の水平載置片４１上にボーダーパネル７０の一端部を載置固定する（図１３（ｃ）参照）。なお、ボーダーパネル７０の他端部は、床スラブ２上に立設された補助束材８の上部に支持された状態で、固定ボルト５によって固定される（図１２参照）。この状態で、ボーダーパネル７０の上面７０ａと梁材１０の上面１０ａとが同一面上に位置する。
【００５２】
上記のようにして梁材１０のボーダー部側にサポートブラケット４０を突設すると共に、サポートブラケット４０の水平載置片４１にボーダーパネル７０の一端部を載置し、かつ、ボーダーパネル７０の他端部を床スラブ２に立設される補助束材８にて支持した後、ボーダーパネル７０の上面７０ａにおけるボーダー部側に固定ねじ２３によってクリアランスカバー２０を固定することによって、一方のフィン部２２が柱６の側面６ａに接触されて、ボーダー部７が覆われる。
【００５３】
なお、ボーダー部７の寸法が第２実施形態の場合より広く、第３実施形態の場合より狭い場合には、上記ボーダーパネル７０の幅寸法の狭いものを用いて対応することができる。
【００５４】
また、上記クリアランスカバー２０，ボーダーブラケット３０，サポートブラケット４０，ボーダーパネル７０及び外れ防止用クリップ５０を用意しておけば、フリーアクセスフロア１と柱６のボーダー部７の寸法の広狭に対応して、上記第１実施形態、第２実施形態あるいは第３実施形態のいずれかの形態を選択して適用することにより、ボーダー部７と柱６の側面６ａとの隙間を確実に覆うことができる。すなわち、ボーダー部７の寸法（隙間）がクリアランスカバー２０の幅より小さい場合は、第１実施形態の構造を適用し、また、ボーダー部７の寸法（隙間）がクリアランスカバー２０の幅より若干広い場合は、第２実施形態の構造を適用し、また、ボーダー部７の寸法（隙間）が大きい場合は、第３実施形態の構造を適用して、ボーダー部７と柱６の側面６ａとの隙間を確実に覆うことができる。
【００５５】
なお、柱６の周囲を覆うクリアランスカバー２０同士の接合部においては、図１４に示すように、柱６の隅角部に隣接配置される一方のクリアランスカバー２０の先端面を、他方のクリアランスカバー２０の先端側面に当接すると共に、一方のクリアランスカバー２０の先端部上面に、他方のクリアランスカバー２０のフィン部２２を被覆することによって、若干凹凸部が生じるが、隣接配置されるクリアランスカバー２０同士を隙間なく接合することができる。また、クリアランスカバー２０と緩衝用クリップ６０の接合部においても、図１４に示すように、緩衝用クリップ６０の先端部上面にクリアランスカバー２０のフィン部２２を被覆することによって、クリアランスカバー２０と緩衝用クリップ６０を隙間なく接合することができる。
【００５６】
また、上記ボーダーパネル７０同士を、上記緩衝用クリップ６０を介在して接合することによって、ボーダーパネル７０の切断小口を隠した状態でボーダーパネル７０同士の接合することができる。ボーダーパネル７０同士の接合形態としては、例えば、図１５（ａ）に示すように、両ボーダーパネル７０の切断が最小端の場合、図１５（ｂ）に示すように、片側のボーダーパネル７０の切断が最大端の場合、図１５（ｃ）に示すように、一方のボーダーパネル７０の先端部の側面に他方のボーダーパネル７０の先端部が当接される場合、あるいは、図１５（ｄ）に示すように、両ボーダーパネル７０の切断が最大端の場合等がある。このうち、図１５（ａ），（ｂ），（ｃ）の形態においては、両端に覆い片６３を有する緩衝用クリップ６０を使用するが、図１５（ｄ）の形態においては、一方の覆い片６３は機能しないので、外れ防止用クリップ５０と同様に、緩衝用クリップ６０を２つに分割した緩衝用クリップ６０Ａを使用すればよい。
【００５７】
なお、上記実施形態ではフリーアクセスフロア１と柱６のボーダー部７について説明したが、フリーアクセスフロア１と壁のボーダー部７においても同様にボーダー部７の隙間を確実に覆うことができることは勿論である。
【図面の簡単な説明】
【００５８】
【図１】この発明に係るフリーアクセスフロアのボーダー部構造の第１実施形態を示す概略斜視図である。
【図２】第１実施形態の要部を示す平面図である。
【図３】第１実施形態の要部を示す断面図である。
【図４】第１実施形態の変形例を示す断面図である。
【図５】この発明におけるクリアランスカバーを一部拡大して示す断面図である。
【図６】この発明に係るフリーアクセスフロアのボーダー部構造の第２実施形態を示す要部断面図である。
【図７】第２実施形態の変形例を示す断面図である。
【図８】第２実施形態におけるボーダーブラケットの取付手順を示す断面図（ａ）〜（ｃ）及び（ｃ）のＩ部拡大図（ｄ）である。
【図９】第２実施形態における外れ防止用クリップの変形例を示す断面図である。
【図１０】この発明における緩衝用クリップを示す断面図（ａ）及び緩衝用クリップを２つに分割して外れ防止用クリップにする状態を示す断面図（ｂ）である。
【図１１】この発明に係るフリーアクセスフロアのボーダー部構造の第３実施形態を示す概略斜視図である。
【図１２】第３実施形態の要部を示す断面図である。
【図１３】第３実施形態におけるサポートブラケットの取付手順を示す断面図である。
【図１４】この発明におけるクリアランスカバー同士及びクリアランスカバーと緩衝用クリップの接合状態を示す斜視図である。
【図１５】この発明におけるボーダーパネル同士の異なる接合形態と緩衝用クリップの関係を示す概略断面図である。
【符号の説明】
【００５９】
１  フリーアクセスフロア
２  床スラブ
４  束材
６  柱
７  ボーダー部
８  補助束材
１０  梁材
１１  嵌合横溝
１２  床パネル（床板）
２０  クリアランスカバー
２１  固定部
２２  フィン部
２３  固定ねじ（固定部材）
３０  ボーダーブラケット
３１  水平固定片
３２  上部係合爪
３３  下部係合爪
３４  凹溝
４０  サポートブラケット
４１  水平載置片
４２  上部係合爪
４３  下部係合爪
４４  凹溝
５０  外れ防止用クリップ
５１  板状基部
５２  ひれ部
５３  覆い片
６０，６０Ａ  緩衝用クリップ
６１  板状基部
６２  ひれ部
６３  覆い片
６４  くびれ部
７０  ボーダーパネル
【図１】
0004600927.tif 000002
【図２】
0004600927.tif 000003
【図３】
0004600927.tif 000004
【図４】
0004600927.tif 000005
【図５】
0004600927.tif 000006
【図６】
0004600927.tif 000007
【図７】
0004600927.tif 000008
【図８】
0004600927.tif 000009
【図９】
0004600927.tif 000010
【図１０】
0004600927.tif 000011
【図１１】
0004600927.tif 000012
【図１２】
0004600927.tif 000013
【図１３】
0004600927.tif 000014
【図１４】
0004600927.tif 000015
【図１５】
0004600927.tif 000016